(57)【要約】【課題】チャンネル情報を一覧表示する際に、放送内容が同じサービスが同じチャンネル内に複数存在する場合の見せ方を工夫することにより、チャンネル一覧の視認性や選局操作性の向上を図る。【解決手段】制御部１６は、チューナ１２を制御してチャンネルサーチを行い、受信可能なチャンネルリストを作成し、このチャンネルリストを参照し、同一チャンネル内に放送内容が重複する複数のサービス情報があれば、チャンネル情報の一覧表示のうち、当該チャンネルにおける複数のサービス情報をそれぞれ示す各表示欄を少なくとも後方の表示欄の一部が見えるように重ねて表示して選局操作を促す。【選択図】図１
2011171904.tif 000002
【特許請求の範囲】
【請求項１】
チャンネル情報を一覧表示して選局操作を促すデジタル放送受信装置において、
チャンネルサーチを行い、受信可能なチャンネルリストを作成するチャンネルリスト作成部と、
前記チャンネルリストを参照し、同一チャンネル内に放送内容が重複する複数のサービス情報があれば、前記チャンネル情報の一覧表示の当該チャンネルにおける前記複数のサービス情報のうちの１つのサービス情報を表示するとともに、当該チャンネルにその他のサービス情報があることを表示して選局操作を促すユーザインタフェース提供部とを備えたことを特徴とするデジタル放送受信装置。
【請求項２】
前記ユーザインタフェース提供部は、前記チャンネルリストを参照し、同一チャンネル内に放送内容が重複する複数のサービス情報があれば、前記チャンネル情報の一覧表示の当該チャンネルにおける前記複数のサービス情報をそれぞれ示す各表示欄を、少なくとも後方の表示欄の一部が見えるように重ねて表示して選局操作を促すことを特徴とする請求項１記載のデジタル放送受信装置。
【請求項３】
前記ユーザインタフェース提供部は、所定の時間が経過する前に最前面の前記表示欄が選局操作されると、当該表示欄が示すサービス情報を選局し、前記所定の時間以上経過しても最前面の前記表示欄の選局操作が行われない場合は、当該表示欄の後方に重なって隠れていた全ての表示欄を最前面に一覧表示することを特徴とする請求項２記載のデジタル放送受信装置。
【請求項４】
前記ユーザインタフェース提供部は、前回選局操作されたサービス情報の表示欄を最前面に表示することを特徴とする請求項２または請求項３記載のデジタル放送受信装置。
【発明の詳細な説明】
【技術分野】
【０００１】
この発明は、受信可能なチャンネル情報を一覧表示して選局操作を促す、特に、車載装置に用いて好適なデジタル放送受信装置に関する。
【背景技術】
【０００２】
映像や音声をデジタル情報に変換し、地上にある放送局から送信する地上デジタル放送が開始され、一般家庭はもとより、車両や携帯電話等の移動体においてもデジタル放送対応の受信機が普及するようになった。ところで、地上デジタルテレビ放送受信機で、プリセットされたチャンネル番号や放送局名を一覧表示する際、社団法人電波産業会ＡＲＩＢ（Association of Radio Industries and Broadcast）規格で規定される３桁の番号を識別して別サービスとして表示するのが一般的である。
【０００３】
また、例えば、特許文献１に開示されているように、同じ放送局が放送している同一番組については１行にまとめて表示することで、一度に表示できる番組一覧表示の情報量を多くする受信装置も知られている。
【先行技術文献】
【特許文献】
【０００４】
【特許文献１】特開２００７−１３５６２号公報
【発明の概要】
【発明が解決しようとする課題】
【０００５】
ところで、同じ放送局が放送しているサービス名が同じで放送内容が若干異なる複数のサービスがある場合、ＡＲＩＢ規格の上記３桁の番号では、それぞれが別サービスとして扱われる。例えば、放送の主な内容は同じあるが、地域に応じて内容が異なる天気予報等が付加されている場合、地域ごとの内容を含むサービスがそれぞれ識別される。
このため、これらのチャンネル情報を一覧表示すると、同一チャンネルに同じサービス名が複数表示され、表示が見づらくなるという問題がある。
また、同一チャンネルに同じサービス名が複数表示されると、別のサービスへチャンネル選局しようとしても、放送内容が従前と同じサービスを誤って選択してしまう可能性もある。
さらに、特許文献１では、同一番組（サービス名）と判断された場合に一つにまとめて表示するので、同じ放送局が放送しているサービス名が同じで、放送内容が若干異なる複数のサービスがある場合、ＡＲＩＢ規格の３桁の番号によって、それぞれが別サービスと識別されても、１つのチャンネルにまとめられて表示される。このため、上記３桁番号で識別されたサービスは、ユーザに選択可能に提示しなければならないというＡＲＩＢ規格の規定に反する。
【０００６】
この発明は上記した課題を解決するためになされたものであり、チャンネル情報を一覧表示する際、同一チャンネル内に複数のサービスが存在する場合の見せ方を工夫することにより、視認性の向上を図り、かつ、選局操作性の向上を図ったデジタル放送受信装置を提供することを目的とする。
【課題を解決するための手段】
【０００７】
この発明は、チャンネル情報を一覧表示して選局操作を促すデジタル放送受信装置において、チャンネルサーチを行い、受信可能なチャンネルリストを作成するチャンネルリスト作成部と、チャンネルリストを参照し、同一チャンネル内に放送内容が重複する複数のサービス情報があれば、チャンネル情報の一覧表示の当該チャンネルにおける複数のサービス情報のうちの１つのサービス情報を表示するとともに、当該チャンネルにその他のサービス情報があることを表示して選局操作を促すユーザインタフェース提供部とを備えたものである。
【発明の効果】
【０００８】
この発明によれば、チャンネル情報を一覧表示する際の視認性の向上を図り、かつ、選局操作性の向上を図ったデジタル放送受信装置を提供することができる。
【図面の簡単な説明】
【０００９】
【図１】この発明の実施の形態１に係るデジタル放送受信装置の構成を示すブロック図である。
【図２】図１の制御部の内部構成を示すブロック図である。
【図３】図１の制御部により作成される表示画面構成の一例を従来例と対比して示した図である。
【図４】図１の制御部によるチャンネルリスト作成処理動作を示すフローチャートである。
【図５】図１の制御部による選局操作処理動作を示すフローチャートである。
【図６】図１の制御部による選局操作処理時の画面遷移図である。
【発明を実施するための形態】
【００１０】
以下、この発明をより詳細に説明するために、この発明を実施するための形態について、添付の図面に従って説明する。
実施の形態１．
図１はこの発明の実施の形態１に係るデジタル放送受信装置１０の構成を示すブロック図である。図１に示されるように、この発明の実施の形態１に係るデジタル放送受信装置１０は、アンテナ１１と、チューナ１２と、ＯＦＤＭ（Orthogonal Frequency-Division Multiplexing）復調器１３と、ＭＰＥＧ復調器１４と、ＯＳＤ（On Screen Display）制御部１５と、制御部１６と、操作部１７と、表示部１８とにより構成される。
【００１１】
図１によれば、アンテナ１１はデジタル放送を受波し、チューナ１２に放送信号を入力する。チューナ１２は、所望のチャンネルが選択されると局部発信による同調制御に基づき、後段のＯＦＤＭ復調器１３でＡ／Ｄ（Analog／Digital）変換が可能な周波数帯まで入力信号をダウンコンバートする。ＯＦＤＭ復調器１３は、放送波に変調され入力されデジタルデータを復調してＭＰＥＧ（Moving Picture Experts Group）復調部１４へ送る。ＭＰＥＧ復調器１４は、映像信号の復調と、付加データの分離を行う。ＯＳＤ制御部１５は、ＭＰＥＧ復調器１４から出力される映像信号を、制御部１６により作成される各種データと重畳して表示部１８へ出力して所望の表示を得る。
【００１２】
制御部１６は、例えば、メモリ内蔵のマイクロプロセッサよって構成され、チューナ１２の同調制御、ＯＦＤＭ復調器１３及びＭＰＥＧ復調器１４の制御、更には画面に重畳するデータを作成してＯＳＤ制御部１５をコントロールする。このため、制御部１６は、チャンネルサーチを行い、受信可能なチャンネルリストを作成するチャンネルリスト作成処理と、このチャンネルリストを参照し、同一チャンネル内に放送内容が重複する複数のサービス情報があれば、チャンネル情報の一覧表示の当該チャンネルにおける複数のサービス情報をそれぞれ示す各表示欄を、少なくとも後方の表示欄の一部が見えるように重ねて表示して選局操作を促すユーザインタフェース提供処理とを実行する。詳細は後述する。
【００１３】
操作部１７は、選局操作を行うためのリモコン等のキースイッチであり、表示部１８は、液晶（ＬＣＤ：Liquid Crystal Display）、有機ＥＬ（ＯＥＬＤ：Organic Electro Luminescent Display）、発光ダイオード（ＬＥＤ：Light Emitted Diode）等の表示デバイスで構成されるものとする。なお、操作部１７と表示部１８とは個別に使用することなく、例えば、ＬＣＤタッチパネルのように表示入力が一体構造になったデバイスで代替しても良い。
【００１４】
図２に制御部１６の内部構成が示されている。ここに示される構成は、制御部１６が実行するブログラムの構造を機能展開して示したものである。図２によれば、制御部１６は、入力判定部１６１と、チャンネルスキャン制御部１６２と、放送信号判定部１６３と、サービス情報解析部１６４と、チャンネルリスト作成部１６５と、ユーザインタフェース（ＵＩ：User Interface）提供部１６６と、メモリ部１６７と、を含む。
【００１５】
入力判定部１６１は、操作部１７から選局情報を取得し、チャンネルスキャン制御部１６２に引き渡す。チャンネルスキャン制御部１６２は、入力判定部１６１からの選局情報、もしくはチャンネルリスト作成部１６５により作成されたチャンネルリストに基づきチューナ１２を制御してチャンネルスキャンを行なう。放送信号判定部１６３は、ＭＰＥＧ復調器１４の出力に基づき放送信号の有無を判定し、有りの場合にデータ信号をサービス情報解析部１６４に引き渡す。サービス情報解析部１６４は、ＭＰＥＧ復調器１４で分離された付加データに基づきサービス情報を解析し、同一チャンネル内に放送内容が重複しているサービスがある場合、その内容をチャンネルリスト作成部１６５に引き渡す。
【００１６】
チャンネルリスト作成部１６５は、チャンネルスキャン制御部１６２がチャンネルスキャンを行い、その結果、受信可能なチャンネルがあった場合、そのリストを作成するチャンネルリスト作成処理を行い、メモリ部１６７に一次保存すると共に、ＵＩ提供部１６６にそのチャンネルリストを引き渡す。ＵＩ提供部１６６は、チャンネルリスト作成部１６５によって作成されたチャンネルリストを参照し、同一チャンネル内に放送内容が重複する複数のサービスがあれば、ＯＳＤ制御部１５を制御して、複数のサービス情報をそれぞれ示す各表示欄を少なくとも後方の表示欄の一部が見えるように重ねて表示して選局操作を促す、ＵＩの提供を行う。
【００１７】
具体的に、ＵＩ提供部１６６は、同一チャンネルの複数のサービス情報の各表示欄が少なくとも後方の表示欄の一部が見えるように重ねて表示された状態で、所定の時間が経過する前に最前面の表示欄が選局操作されると、当該表示欄に示されるサービス情報が選局され、所定の時間以上経過しても選局操作が行われない場合は、当該表示欄の後方に重なって隠れていた全ての表示欄を最前面に一覧表示する制御を行う。
【００１８】
図３に、チャンネルリストの画面表示例が従来例と対比して示されている。図３（ａ）は従来例であり、図３（ｂ）はこの発明の実施の形態１に係るデジタル放送受信装置１０によるものであり、それぞれに、選局操作時の画面遷移の様子が矢印で示されている。
ここで、チャンネルリストはいずれも長方形表示欄１８１に示されており、この表示欄１８１上に、放送局ロゴ、３桁番号、チャンネル（ｃｈ）番号、放送局名（サービス情報）が文字列で示されている。なお、図中、ハッチング表記された表示欄１８１は、選局操作時に有効となる表示欄１８１である。
【００１９】
この発明の実施の形態１に係るデジタル放送受信装置１０では、チャンネルリスト作成部１６５で作成されるチャンネル情報に基づき、ＵＩ提供部１６６が、その表示情報を生成してＯＳＤ制御部１５へ出力する。そして、ＯＳＤ制御部１５が、同一チャンネル内のサービス情報を示す表示欄１８１を、表示部１８に表示して選局操作を促すものである。すなわち、図３（ａ）に示されるように、「ｃｈ２２」で示される、３桁番号「０１１」の「ＮＨＫ総合１・神戸」と、３桁番号「０１２」の「ＮＨＫ総合２・神戸」は、図３（ｂ）に示されるように、１行に長方形表示欄１８１の形式で重ねて表示され、このとき、３桁番号「０１１」のサービス情報「ＮＨＫ総合１・神戸」の表示欄１８１ａが前面に優先表示され、３桁番号「０１２」のサービス情報「ＮＨＫ総合２・神戸」の表示欄１８１ｂが、一部領域を除きその背面に隠れて表示される。以下、ｃｈ１３、ｃｈ２６についても同様に同一チャンネル内の複数のサービス情報の長方形表示欄１８１が、少なくとも後方の表示欄１８１ｂの一部が見えるようにそれぞれ重ねて表示される。
【００２０】
このようなユーザインタフェースを提供することで、同一チャンネル内の複数のサービス情報をそれぞれ示す各表示欄１８１を複数行にわたって列挙することなく、少なくとも後方の表示欄１８１ｂの一部が見えるようにそれぞれ重ねて表示することから、表示が見やすくなって視認性が向上するものである。
また、表示欄１８１ｂについては背面に隠しつつも一部領域を最前面に出して表示することで、ユーザに対し、当該チャンネルにサービスが複数存在していることを認識させることも可能である。
さらに、このチャンネル一覧表示から順次選局操作により選局する場合、従来は、図３（ａ）に示されるように、放送内容が同じであるにも拘わらず複数行にわたって表示されるため誤って選択してしまうことが多々あったが、図３（ｂ）に示されるように、表示欄１８１を重ねて表示することにより、そのような誤選択は無くなり、従って選局操作性が向上するものである。
【００２１】
以下、図４、図５のフローチャート、及び図６の表示画面遷移図を用いて、図２に示す制御部１６の動作について詳細に説明する。ここではまず、図４のフローチャートに示すチャンネルリスト作成処理から説明する。
【００２２】
図４によれば、まず、チャンネルリスト制御部１６２が、チャンネルスキャンを実行するために、チューナ１２に同調周波数（チャンネル）を設定する（ステップＳＴ１０１）。この同調周波数の設定は、操作部１７を介してユーザにより選局操作され、入力判定部１６１により取得される操作情報、またはチャンネルリスト作成部１６５により作成されたチャンネルリストに基づく。
【００２３】
次に、放送信号判定部１６３が、ＭＰＥＧ復調器１４から出力される信号から放送信号の有無を判定し（ステップＳＴ１０２）、ここで「放送信号無し」と判定された場合は（ステップＳＴ１０３“ＮＯ”）、終了判定を行い（ステップＳＴ１０４）、受信帯域の全てのチャンネルのスキャンが未終了の場合（ステップＳＴ１０５“ＮＯ”）、次のチャンネルをスキャンするためにステップＳＴ１０１のチャンネル設定処理に戻る。
【００２４】
一方、ステップＳＴ１０３の放送の有無判定処理で「放送信号有り」と判定されると（ステップＳＴ１０３“ＹＥＳ”）、サービス情報解析部１６４が、チャンネルリスト作成に必要な、周波数情報、サービス名、３桁番号等のチャンネル情報を、付加データから取り出す。同時に、そのチャンネル情報の解析を行い、同一チャンネル内に重複している複数のサービスがある場合、その内容をチャンネルリスト作成部１６５に引き渡す（ステップＳＴ１０６）。これを受けてチャンネルリスト作成部１６５は、チャンネルリストを更新する処理を実行する（ステップＳＴ１０７）。そして、終了判定を行い（ステップＳＴ１０４）、受信帯域内の全てのチャンネルのスキャンが終了した時点で（ステップＳＴ１０５”ＹＥＳ“）一連のチャンネルスキャン処理を終了する。
【００２５】
ここで作成されたチャンネルリストはＵＩ提供部１６６に引き渡され、ＵＩ提供部１６６では、図３（ｂ）に示す画面情報を生成してＯＳＤ制御部１５に出力する。ＯＳＤ制御部１５は、ＵＩ提供部１６６から出力される、複数サービス情報の各表示欄が少なくとも後方の表示欄の一部領域が見えるように重ねて表示部１８に表示するための表示制御を行う。
【００２６】
次に、選局動作について、図５のフローチャート、及び図６（ａ）〜（ｄ）の表示画面遷移図を参照しながら詳細に説明を行う。制御部１６の入力判定部１６１は、まず、図６（ａ）に示されるチャンネルリストが表示された状態で操作間隔を判定する（ステップＳＴ２０１）。ここでは、例えば、３秒の所定時間が経過するまでに選局操作が行われたか否かを判定する（ステッブＳＴ２０２）。続いて選局判定処理がなされ（ステップＳＴ２０３）、３秒経過する以前に選局操作がなされると（ステップＳＴ２０４“ＹＥＳ”）、図６（ｂ）に示す表示画面に遷移し、同じ放送サービスが隠れた状態で最前面に表示されているサービスが選局される（ステップＳＴ２０５）。
【００２７】
一方、３秒が経過しても選局操作が行われず、選局操作可能な状態が維持された場合（ステップＳＴ２０２“ＹＥＳ”）、ＵＩ提供部１６６は、選局操作可能な状態が維持された表示欄の後ろに隠れている全てのサービスの表示欄を最前面に表示する、図６（ｃ）に示す画面情報を生成してＯＳＤ制御部１５に出力し、ＯＳＤ制御部１５が、表示部１８にこの画面情報を表示する（ステップＳＴ２０６）。なお、選局操作可能な状態とは、例えば、外部からの操作に応じて移動するポインタが表示欄上におかれて、当該表示欄を選択して選局される前段階になった状態をいう。
続いて、入力判定部１６１で選局操作判定がなされ（ステップＳＴ２０７）、ここで選局操作が実行されれば（ステップＳＴ２０８“ＹＥＳ”）、図６（ｄ）に示す画面に遷移して次のサービスの選択が行なわれる（ステップＳＴ２０９）。
【００２８】
上述した動作を図６（ａ）〜（ｄ）に示す画面遷移図を使用して詳細に説明すると以下のようになる。すなわち、プリセット時のチャンネル情報を一覧表示するときに、同一チャンネル内の複数のサービス情報について各表示欄を重ねて表示すると、例えば、図６（ａ）に示す画面構成になる。このようなユーザインタフェースを提供することで、従来のように、同一チャンネル内の複数のサービス情報を複数行に列挙して表示することなく、各表示欄を重ねて表示することから視認性が向上する。
また、複数のサービス情報の表示欄を最前面の表示欄の背面に隠しつつも、表示欄の一部領域を最前面に出して表示することで、ユーザに対し、当該チャンネルにサービスが複数存在していることを認識させることも可能である。
さらに、このチャンネル一覧表示から順次選局操作して選局する場合、図６（ｂ）に示されるように、各表示欄が重ねて表示されることから誤選択は無くなり、選局操作性が向上する。なお、図中、ハッチング表記された表示欄は、選局操作時の有効表示欄である。
【００２９】
また、この発明の実施の形態１に係るデジタル放送受信装置１０では、チャンネル一覧表示での順次選局操作時の操作間隔により、選択されたチャンネル情報の背面に隠れたサービス情報を表示するようにする。例えば、３秒経過する前に選局操作があった場合は、各チャンネル表示の最前面に表示されたチャンネル情報のみ選局され、３秒以上経過しても選局操作が行われない場合は、表示欄の背面に隠れたサービス情報を表示する。すなわち、３秒経過する前の選局操作では、例えば、図６（ａ）の表示画面から図６（ｂ）の表示画面に遷移し、このとき、各サービス情報の最前面に表示されたサービスを順次選択していくため、選局操作を連続して行う場合に、他チャンネルへの選局動作の操作性が飛躍的に向上する。
【００３０】
また、例えば、３秒間以上選局操作が無ければ、図６（ｃ）の画面構成に示されるように、当該チャンネル情報の背面に隠れているサービス情報を自動的に表示するように制御することで、ＡＲＩＢ規格で規定される、３桁番号で識別される同一チャンネル内のサービス情報を表示し、ユーザに提示することができる。更に、図６（ｄ）に示されるように、当該チャンネル情報の背面に隠れているサービス情報が表示されている状態で選局操作を行うことで、ＡＲＩＢ規格で規定される、３桁番号で識別される同一チャンネル内の他のサービス（選択番号「０２２」）を選択することができる。
【００３１】
この発明の実施の形態１に係るデジタル放送受信装置１０によれば、制御部１６は、チャンネルサーチを行い、受信可能なチャンネルリストを作成し、このチャンネルリストを参照し、同一チャンネル内に放送内容が重複する複数のサービス情報があれば、前記チャンネル情報の一覧表示の当該チャンネルにおける前記複数のサービス情報のうちの１つのサービス情報を表示するとともに、当該チャンネルにその他のサービス情報があることを表示して選局操作を促すことにより、表示が見やすくなり、視認性が向上する。
【００３２】
また、チャンネル情報の一覧表示の当該チャンネルにおける複数のサービス情報をそれぞれ示す各表示欄を、少なくとも後方の表示欄の一部が見えるように重ねて表示することで、ユーザに該当チャンネルにサービスが複数存在していることを認識させることもできる。さらに、チャンネル一覧表示から順次選局操作に切り替える際に、放送内容が同じサービスを選局してしまうことがなく、従って選局の操作性が向上する。
【００３３】
なお、上記実施の形態１では、複数のサービス情報のうちの１つのサービス情報の表示欄を前面に表示し、その他のサービス情報については、前面の表示欄の後方に少なくとも表示欄の一部が、当該チャンネルのサービス情報であることを示す情報として見えるように重ねて表示した場合を示したが、本発明は、これに限定されるものではない。
例えば、複数のサービス情報のうちの１つのサービス情報の表示欄のみを表示し、当該チャンネルにその他のサービス情報もあることを示すアイコンのみを表示するようにしてもよい。同一のチャンネルのサービス情報もあることを示すアイコンとしては、チャンネル番号に加え、例えばサービスの数、サービス名の簡易表示などを表示したアイコンが考えられる。
【００３４】
さらに、制御部１６は、所定の時間が経過する前に最前面の表示欄が選局操作されると当該表示欄が示すサービス情報を選局し、所定の時間以上経過しても選局操作が行われない場合は、当該表示欄の後方に重なって隠れていた全ての表示欄を最前面に一覧表示するよう制御を行う。このため、ＡＲＩＢ規格で規定されている３桁番号で識別される同一チャンネル内のサービス情報を表示することができると共に、選局の操作性が向上する。
【００３５】
なお、上述した表示欄を表示するにあたり、制御部１６（ＵＩ提供部１６６）は、前回操作時のサービス情報をメモリ部１６７に保持しておくことで、前回に選局操作されたサービスを最前面に表示すれば、一層、選局時の操作性が向上する。また、ナビゲーション装置と連携して動作させることで、現在位置に基づき最前面に表示するサービスを決めてもよい。このデジタル放送受信装置１０を車載装置に適用することにより選局操作性が一段と向上する。
【００３６】
また、実施の形態１において、制御部１６が有する機能は、全てをソフトウェアによって実現しても、あるいは少なくともその一部をハードウエアで実現してもよい。例えば、制御部１６が、チャンネルサーチを行い、受信可能なチャンネルリストを作成し、このチャンネルリストを参照し、同一チャンネル内に放送内容が重複する複数のサービス情報があると、チャンネル情報の一覧表示のうち、当該チャンネルにおける複数のサービス情報をそれぞれ示す各表示欄を少なくとも後方の表示欄の一部が見えるように重ねて表示して選局操作を促すデータ処理は、１または複数のプログラムによりコンピュータ上で実現しても良く、また、少なくとも一部をハードウエアで実現してもよい。
【符号の説明】
【００３７】
１０  デジタル放送受信装置、１１  アンテナ、１２  チューナ、１３  ＯＦＤＭ復調器、１４  ＭＰＥＧ復調器、１５  ＯＳＤ制御部、１６  制御部、１７  操作部、１８  表示部、１６１  入力判定部、１６２  チャンネルスキャン制御部、１６３  放送信号判定部、１６４  サービス情報解析部、１６５  チャンネルリスト作成部、１６６  ＵＩ提供部、１６７  メモリ部。
【図１】
2011171904.tif 000003
【図２】
2011171904.tif 000004
【図３】
2011171904.tif 000005
【図４】
2011171904.tif 000006
【図５】
2011171904.tif 000007
【図６】
2011171904.tif 000008